(57)【特許請求の範囲】
【請求項１】
角膜頂点を通る少なくとも１つの角度経線に沿った前眼部の断層像（Ｂ-スキャン像）を取得可能な前眼部断層像撮影装置であって、
取得したＢ-スキャン像に対して、隅角領域を解析して強膜岬（ＳＳ）の位置を抽出する解析手段と、
該解析手段により抽出した２つのＳＳ（角膜頂点を通る光軸（視軸）に対して互いに対称の位置関係にある２つのＳＳ）の位置を結ぶ直線と角膜頂点との距離Ｄを算出する第１の算出手段と、
該第１の算出手段で算出した距離Ｄに基づいて予測術後前房深度（ＥＬＰ）を決定する決定手段と、
を備えたことを特徴とする前眼部断層像撮影装置。
【請求項２】
前記予測術後前房深度（ＥＬＰ）を決定する決定手段は、前記解析手段により水晶体の中心厚み（前面中心と後面中心の差）と水晶体前面／後面の曲率を取得し、取得した水晶体の中心厚み及び水晶体前面／後面の曲率に基づいて水晶体の赤道位置を推定し、推定した赤道位置と水晶体前面の頂点位置との距離Ｅを算出（第２の算出手段）し、算出した距離Ｅと前記第１の算出手段で算出した距離Ｄに基づいて予測術後前房深度（ＥＬＰ）を決定することを特徴とする請求項１に記載の前眼部断層像撮影装置。
【請求項３】
前記予測術後前房深度（ＥＬＰ）を決定する決定手段は、前記解析手段により水晶体核の形状を抽出し、抽出した水晶体核の形状から水晶体の赤道位置を推定し、推定した赤道位置と水晶体前面の頂点位置との距離Ｅ’を算出（第３の算出手段）し、算出した距離Ｅ’と前記第１の算出手段で算出した距離Ｄに基づいて予測術後前房深度（ＥＬＰ）を決定することを特徴とする請求項１に記載の前眼部断層像撮影装置。
【請求項４】
前記予測術後前房深度（ＥＬＰ）を決定する決定手段は、前記第１の算出手段で算出した距離Ｄと、前記第２の算出手段で算出した距離Ｅ及び前記第３の算出手段で算出した距離Ｅ’に基づいて予測術後前房深度（ＥＬＰ）を決定することを特徴とする請求項１に記載の前眼部断層像撮影装置。
【請求項５】
前記予測術後前房深度（ＥＬＰ）を決定する決定手段は、前記第１の算出手段で算出した距離Ｄと前記第２の算出手段で算出した距離Ｅ及び／又前記第３の算出手段で算出した距離Ｅ’と、挿入する眼内レンズ毎に設定する所定のオフセット値に基づいて予測術後前房深度（ＥＬＰ）を決定することを特徴とする請求項１に記載の前眼部断層像撮影装置。
【発明の詳細な説明】
【技術分野】
【０００１】
本発明は、前眼部断層像を用いて白内障手術によって眼内に挿入される眼内レンズの度数を決定するための装置及びその決定方法に関する。
【背景技術】
【０００２】
近年、眼科検査のために用いられる検査装置として、光干渉断層法（Optical Coherence Tomography：ＯＣＴ）により被検者の被検眼（眼球）の断層画像を撮影する光干渉断層撮影装置が供されてきている。
【０００３】
光干渉断層撮影装置においては、タイムドメイン方式と呼ばれる、ミラーを動かして参照光の光路長を機械的に変化させながら断層画像取得を行うタイムドメインＯＣＴと、フーリエドメイン方式と呼ばれる、分光器を用いてスペクトル情報を検出し断層画像取得を行うスペクトルドメインＯＣＴ、もしくは、波長走査光源を用いてスペクトル干渉信号を検出し断層画像取得を行う光周波数掃引ＯＣＴとがある。
【０００４】
一般にＯＣＴでは、測定光を被検眼に対して一次元走査することで二次元断層画像を取得し（Ｂ−スキャン）、さらに、二次元断層画像を、被検眼に対して位置をずらしながら繰り返し取得することで三次元画像を得る（Ｃ−スキャン）。
【０００５】
スキャンの方法として、図４（ａ）に示すようなラスタースキャンと称される方法がある。このラスタースキャンは、水平方向に延びる走査線に沿って一次元走査（Ｂ−スキャン）することを、垂直方向にずらせながら繰り返し（Ｃ−スキャン）、眼球の三次元画像を撮影するものである。これにより、図４（ｂ）に示すように、各走査線に沿う断層画像を得ることができる。
【０００６】
さらに、別の方法として、図５（ａ）に示すようなラジアルスキャンと称される方法もある。このラジアルスキャンは、放射方向に延びる走査線に沿って一次元走査（Ｂ−スキャン）することを、円周方向にずらせながら繰り返す（Ｃ−スキャン）ものである。これにより、図５（ｂ）に示すように、各走査線に沿う断層画像を得ることができる。
【０００７】
白内障手術において、挿入する眼内レンズ（ＩＯＬ）の度数を決定するために、被検眼の角膜曲率（ケラト値）や眼軸長など眼特性データを取得し、取得した眼特性データを基に、経験もしくは論理によって作成されたＩＯＬ計算式に従って、ＩＯＬの度数を算出する。ＩＯＬ計算式は、ＳＲＫ式、ＳＲＫ／Ｔ式、等が周知である。
【０００８】
近年、ＯＣＴの技術を採用した前眼部断層像撮影装置がＩＯＬの度数を決定する際に用いられている。例えば、取得した前眼部断層画像を用いて、より精度の高いＩＯＬ度数を決定する方法が特許文献１などに開示されている。
【０００９】
すなわち、前眼部断層画像に基づいて水晶体前面からチン小帯と水晶体の接点までの距離をオフセット距離として、眼の前房深度（角膜上皮頂点から水晶体前面までの距離）にオフセット距離を加えて予測術後前房深度（ＥＬＰ）として算出し、該予測術後前房深度を用いて眼内レンズの度数計算を実施する。
【００１０】
眼内レンズ（ＩＯＬ）支持部の位置がチン小帯と水晶体が接する接点の位置と同様となることから、水晶体前面からチン小帯と水晶体の接点までの距離をオフセット値として用いることにより、精度の高いＥＬＰが算出可能となり、これにより、精度の高いＩＯＬ度数の決定をすることができるとしている。
【先行技術文献】
【特許文献】
【００１１】
【特許文献１】特開２０１３−９４４１０号公報
【発明の開示】
【発明が解決しようとする課題】
【００１２】
患者眼の隅角領域が正常か或いは開放隅角の場合は特許文献１に開示された方法は有効と考えられる。しかしながら、患者眼が（閉塞隅角などにより）狭隅角の場合、（隅角が正常か或いは開放隅角の場合より）水晶体は前方にあるため、（隅角が正常か或いは開放隅角の場合より）眼の前房深度の値が小さくなる。しかしながら、このような狭隅角の眼に対してＩＯＬを処方すると、狭隅角は解消されて、正常状態になることが術後の所見として知られている。
【００１３】
すなわち、術前の前房深度を用いて予測術後前房深度を算出する特許文献１の方法を用いた場合、患者眼の隅角の状態によっては、算出した予測術後前房深度（ＥＬＰ）に大きな誤差を含む危険を孕むという問題があった。
【００１４】
本発明は、上記の課題を解決するものであり、得られた前眼部断面画像（Ｂ−スキャン画像）に対し、画像解析などの処理により、強膜岬（ＳＳ）の位置を抽出し、抽出したＳＳの位置に基づいてＥＬＰを算出することにより、被検眼の術前の隅角状態に関係なくＥＬＰを算出して眼内レンズの度数を決定する方法を開示することを目的とする。
【課題を解決するための手段】
【００１５】
上記目的を達成するために、請求項１に記載の前眼部断層像撮影装置は、角膜頂点を通る少なくとも１つの角度経線に沿った前眼部の断層像（Ｂ-スキャン像）を取得可能な前眼部断層像撮影装置であって、取得したＢ-スキャン像に対して、隅角領域を解析して強膜岬（ＳＳ）の位置を抽出する解析手段と、該解析手段により抽出した２つのＳＳ（角膜頂点を通る光軸（視軸）に対して互いに対称の位置関係にある２つのＳＳ）の位置を結ぶ直線と角膜頂点との距離Ｄを算出する第１の算出手段と、該第１の算出手段で算出した距離Ｄに基づいて予測術後前房深度（ＥＬＰ）を決定する決定手段と、を備えたことを特徴とする。
【００１６】
患者眼が正常眼であっても、狭隅角であっても、また、ＩＯＬの術前／術後でも、強膜岬（ＳＳ）の位置は変化せず一定である。そして、ＳＳの深さ方向の位置は、水晶体前面頂点位置に近いことが、多くの所見から知られている。請求項１に記載の前眼部断層像撮影装置は角膜頂点を通る前眼部断層像からＳＳの位置を抽出し、抽出した互いに対称の位置関係にある２つのＳＳを結ぶ直線と角膜（上皮）頂点と距離を算出して、その距離Ｄに基づいて予測術後前房深度（ＥＬＰ）を算出するため、算出したＥＬＰは患者眼の隅角の状態（正常隅角／狭隅角）に依存しない。そのため、特許文献１に開示された前房深度を用いて算出したＥＬＰと比べ、大きな誤差を含む危険がなく、精度の高いＥＬＰが、患者眼の隅角の状態に関係なく、正しく算出できるのである。
【００１７】
上記目的を達成するために、請求項２に記載の前眼部断層像撮影装置は、請求項１に記載の前眼部断層像撮影装置であって、前記予測術後前房深度（ＥＬＰ）を決定する決定手段は、前記解析手段により水晶体の中心厚み（前面中心と後面中心の差）と水晶体前面／後面の曲率を取得し、取得した水晶体の中心厚み及び水晶体前面／後面の曲率に基づいて水晶体の赤道位置を推定し、推定した赤道位置と水晶体前面の頂点位置との距離Ｅを算出（第２の算出手段）し、算出した距離Ｅと前記第１の算出手段で算出した距離Ｄに基づいて予測術後前房深度（ＥＬＰ）を決定することを特徴とする。
【００１８】
施術後のＩＯＬの位置は術前の水晶体の赤道位置からやや下方位置に安定配置される。前眼部断層像から術前の水晶体の厚みや水晶体の前面曲率及び後面曲率を求め、前面曲率の値と後面曲率の値から按分などを用いて水晶体の赤道位置が推定できる。推定した水晶体の赤道位置と第１の算出手段で算出した距離Ｄに基づいて予測術後前房深度（ＥＬＰ）を算出することにより、より精度の高い予測術後前房深度（ＥＬＰ）を求めることができる。
【００１９】
上記目的を達成するために、請求項３に記載の前眼部断層像撮影装置は、請求項１に記載の前眼部断層像撮影装置であって、前記予測術後前房深度（ＥＬＰ）を決定する決定手段は、前記解析手段により水晶体核の形状を抽出し、抽出した水晶体核の形状から水晶体の赤道位置を推定し、推定した赤道位置と水晶体前面の頂点位置との距離Ｅ’を算出（第３の算出手段）し、算出した距離Ｅ’と前記第１の算出手段で算出した距離Ｄに基づいて予測術後前房深度（ＥＬＰ）を決定することを特徴とする。
【００２０】
赤道位置は、上記の方法以外でも推定可能である。例えば、前眼部断層像から術前の水晶体核の形状を抽出し、抽出した水晶体核の形状から水晶体の赤道位置を推定して、上記同様に予測術後前房深度（ＥＬＰ）を求めることができる。
【００２１】
上記目的を達成するために、請求項４に記載の前眼部断層像撮影装置は、請求項１に記載の前眼部断層像撮影装置であって、前記予測術後前房深度（ＥＬＰ）を決定する決定手段は、前記第１の算出手段で算出した距離Ｄと、前記第２の算出手段で算出した距離Ｅ及び前記第３の算出手段で算出した距離Ｅ’に基づいて予測術後前房深度（ＥＬＰ）を決定することを特徴とする。
【００２２】
水晶体の状態によっては、第２の算出手段で算出した距離Ｅと第３の算出手段で算出した距離Ｅ’に大きな差異が生じる場合がある。その場合、水晶体の状態から適切と判断した方を採用してもいいし、また、距離Ｅと距離Ｅ’を単純平均してその値を採用してもよい。
【００２３】
上記目的を達成するために、請求項５に記載の前眼部断層像撮影装置は、請求項１に記載の前眼部断層像撮影装置であって、前記予測術後前房深度（ＥＬＰ）を決定する決定手段は、前記第１の算出手段で算出した距離Ｄと前記第２の算出手段で算出した距離Ｅ及び／又前記第３の算出手段で算出した距離Ｅ’と、挿入する眼内レンズ毎に設定する所定のオフセット値に基づいて予測術後前房深度（ＥＬＰ）を決定することを特徴とする。
【００２４】
ＩＯＬのレンズメーカーから提供されるレンズ定数から術後のＩＯＬの安定配置位置を推定し、ＩＯＬ毎に所定のオフセット値を設定し、そのオフセット値を採用して予測術後前房深度（ＥＬＰ）を決定してもよい。この場合、より高い精度の予測術後前房深度（ＥＬＰ）を求めることが可能である。
【発明の効果】
【００２５】
上述のように、本発明によれば、被検眼の術前の隅角状態に関係なく適切なＥＬＰを算出可能であることから、より精度の高いＩＯＬ度数の決定をすることができるのである。
【図面の簡単な説明】
【００２６】
【図１】本発明の一実施例を示すもので、前眼部断面画像撮影装置の一つである前眼部光干渉断層撮影装置の光学系の構成を示す図
【図２】前眼部光干渉断層撮影装置の電気的構成を概略的に示すブロック図
【図３】制御装置が実行する断層画像の撮影の処理手順を示すフローチャート
【図４】ＯＣＴにおけるラスタースキャン方式を説明するための図
【図５】ＯＣＴにおけるラジアルスキャン方式を説明するための図
【図６】白内障の手術の術前／術後の前眼部の各部位の状態を説明するための図
【図７】本発明に係る予測術後前房深度（ＥＬＰ）の算出方法の手順を示すフローチャート
【図８】本発明に係る予測術後前房深度（ＥＬＰ）の算出方法の一実施例の具体例を説明した図
【図９】水晶体前面曲率半径Ｒ１、水晶体後面曲率半径Ｒ２及び水晶体厚みＴから赤道位置を算出する一実施例を説明する図
【図１０】前眼部の概略的な構成を示す図である。
【図１１】図１０の長方形領域Ａに存在する前眼部の隅角領域の構成を示す図である。
【発明を実施するための形態】
【実施例】
【００２７】
以下、本発明の一実施例について、図１から図３を参照しながら説明する。尚、本実施例では、前眼部断面画像撮影装置の一つである前眼部光干渉断層撮影装置を用いているが、本発明は、前眼部光干渉断層撮影装置に限ったものではなく、他に超音波を用いた超音波画像診断装置等、前眼部の断面画像を撮影可能な装置であれば採用可能である。
【００２８】
図２は、本実施例に係る前眼部光干渉断層撮影装置１の電気的構成を概略的に示している。尚、この前眼部光干渉断層撮影装置１は、隅角計測、角膜曲率、角膜厚分布、前房深度の測定等の、被検者の眼球（被検眼Ｅ）の前眼部Ｅｃ（図１参照）の眼科検査や角膜から虹彩、水晶体を含む前眼部の断層画像をモニタなどに表示して眼科診断のために用いられる装置であり、光干渉断層法（Optical Coherence Tomography：ＯＣＴ）により被検眼Ｅの前眼部Ｅｃの断層画像を撮影するものである。
【００２９】
ここで、図示はしないが、前眼部光干渉断層撮影装置１の装置本体は、保持台に対して、Ｘ方向（左右方向）及びＹ方向（上下方向）並びにＺ方向（前後方向）に移動可能に支持されている。装置本体の前面側（被検者側）には、顎受け部及び額当て部が、前記保持台に対して固定的に設けられている。被検者が、前記顎受け部に顎を載せると共に額当て部に額を当てることにより、被検者の眼（被検眼Ｅ）が、装置本体の前面に設けられた撮影用の（光の出入りが行われる）検査窓の正面に配置されるようになっている。
【００３０】
このとき、図２に示すように、この前眼部光干渉断層撮影装置１には、前記装置本体を前記保持台に対して、Ｘ方向、Ｙ方向、Ｚ方向に夫々自在に移動させるための本体駆動部２が設けられている。詳しい説明は省略するが、この本体駆動部２は、Ｘ方向移動モータ、Ｙ方向移動モータ、Ｚ方向移動モータなどを備えた周知構成を備えており、制御装置３により制御されるようになっている。後述するように、この本体駆動部２及び制御装置３は、アライメント光学系４等と共にアライメント手段及びオートアイトラッキング手段を構成するようになっている。
【００３１】
前記装置本体には、図２に示すように、ＣＰＵ、メモリ等からなるマイクロコンピュータを含んで構成され全体の制御を行う制御装置３、前眼部Ｅｃの断層画像を取得する断層画像取得手段としてのＯＣＴシステム５、被検眼Ｅの正面画像を撮影する撮像手段を構成する前眼部撮像系６、アライメント光学系４が設けられている。このアライメント光学系４は、上記のようにアライメント手段及びオートアイトラッキング手段を構成すると共に、角膜頂点位置検出手段を構成する。これらＯＣＴシステム５、前眼部撮像系６、アライメント光学系４の詳細については後述する。
【００３２】
さらに、装置本体には、後面（検者）側に位置して、被検眼正面画像等を表示する表示装置としてのモニタ７や、検者（オペレータ）が各種操作を行うためのキー操作部８が設けられている。図示はしないが、前記キー操作部８には、測定開始スイッチ等が含まれている。また本実施例では、前記モニタ７の画面上には、種々の操作手段として機能するタッチパネル９が設けられている。尚、前記制御装置３には、撮影した三次元画像の画像データ等を記憶する記憶部１０が接続されている。
【００３３】
図１は、上記した光学系、即ち、ＯＣＴシステム５、前眼部撮像系６、アライメント光学系４の構成を示している。以下、これらについて順に述べる。前記ＯＣＴシステム５は、光干渉断層法により前眼部Ｅｃの断層画像（断面画像）を得るものである。本実施例では時間的に波長を変化させて走査する波長走査光源１１を用いたフーリエドメイン（光周波数掃引）方式が採用されている。
【００３４】
即ち、波長走査光源１１から出力された光は、光ファイバ１２ａを通して第１のファイバーカプラ１３に入力され、この第１のファイバーカプラ１３において、例えば１：９９の比率で、参照光と測定光とに分波されて出力される。そのうち参照光は、光ファイバ１２ｂを通って第１のサーキュレータ１４の入力部に入力され、更にこの第１のサーキュレータ１４の入出力部から光ファイバ１２ｃを通ってその端部から出力され、複数個のコリメータレンズ１５を通って参照ミラー１６に入射される。
【００３５】
そして、参照ミラー１６にて反射された参照光が、再び、複数個のコリメータレンズ１５を通って光ファイバ１２ｃの端部から入力され、光ファイバ１２ｃを通って第１のサーキュレータ１４の入出力部から入力される。そして、第１のサーキュレータ１４の出力部から出力された参照光は、光ファイバ１２ｄを通って第２のファイバーカプラ１７の第１の入力部に入力される。
【００３６】
一方、前記第１のファイバーカプラ１３から出力された測定光は、光ファイバ１２ｅを通って第２のサーキュレータ１８の入力部に入力され、さらにこの第２のサーキュレータ１８の入出力部から光ファイバ１２ｆを通ってその端部から出力される。光ファイバ１２ｆの端部から出力された測定光は、コリメータレンズ１９を通ってガルバノスキャナ２０に入力される。ガルバノスキャナ２０は、測定光を走査させるためのもので、ガルバノドライバ２１により駆動されるようになっている。
【００３７】
前記ガルバノスキャナ２０から出力された測定光は、波長が長い側の光を反射させ短い側の光を透過させるホットミラー２２により９０度の角度で反射され、対物レンズ２３を通して前記検査窓から出射され、被検眼Ｅに入射される。被検眼Ｅに入射された測定光は、前眼部Ｅｃの各組織部分（角膜、前房、虹彩、水晶体等）にて反射し、その反射光が、検査窓から入射され、上記と逆に、対物レンズ２３、ホットミラー２２、ガルバノスキャナ２０、コリメータレンズ１９を順に通って、光ファイバ１２ｆの端部から入力される。
そして、その反射光は、光ファイバ１２ｆを通って前記第２のサーキュレータ１８の入出力部から入力され、第２のサーキュレータ１８の出力部から出力され、光ファイバ１２ｇを通って前記第２のファイバーカプラ１７の第２の入力部に入力される。
【００３８】
この第２のファイバーカプラ１７において、前眼部Ｅｃからの反射光と、前記光ファイバ１２ｄを通って入力された参照光とが、例えば５０：５０の比率で合波され、その信号が光ファイバ１２ｈ、１２ｉを介して検出器２４に入力される。検出器２４においては、波長毎の干渉が計測され、計測された干渉信号が、前記制御装置３に設けられたＡＤボード２５に入力される。さらに、制御装置３に設けられた演算部２６において、干渉信号に対するフーリエ変換などの処理が行われ、もって走査線に沿う前眼部Ｅｃの断層画像が取得されるのである。
【００３９】
このとき、詳しくは後述するように、前記ガルバノスキャナ２０による測定光のスキャンパターン言い換えると走査線（Ｂ−スキャン）の方向は、制御装置３において設定されるようになっている。そして、制御装置３（演算部２６）からの指令信号に基づいてガルバノドライバ２１がガルバノスキャナ２０を制御するようになっている。尚、得られた前眼部Ｅｃの断層画像のデータは、必要な屈折補正が行われた後、前記記憶部１０に記憶される。また、図１に模式的に示しているように、その断層画像Ｔを前記モニタ７に表示させることができる。
【００４０】
次に、前記前眼部撮像系６は、照明光源２７，２７、前記対物レンズ２３、前記ホットミラー２２、コールドミラー２８、結像レンズ２９、ＣＣＤカメラ３０、光学制御部３１を備えて構成される。照明光源２７，２７は、被検眼Ｅの正面に可視光領域の照明光を照射するようになっており、被検眼Ｅからの反射光が、前記検査窓から前記対物レンズ２３、ホットミラー２２、コールドミラー２８、結像レンズ２９を通って、ＣＣＤカメラ３０に入力される。これにて、被検眼Ｅの正面画像Ｆが撮影され、撮影された画像データは、光学制御部３１によって画像処理が行われて、前記モニタ７に表示されるようになる。
【００４１】
そして、前記アライメント光学系４は、より詳細には、被検者が固視灯を見つめることにより眼球（被検眼Ｅ）を極力動かさないようにさせるための固視灯光学系、被検眼Ｅ（角膜頂点）のＸＹ方向の位置（本体に対する上下左右の位置ずれ）を検出するためのＸＹ方向位置検出系、被検眼Ｅ（角膜頂点）の前後方向（Ｚ方向）の位置を検出するためのＺ方向位置検出系を含んで構成されている。
【００４２】
そのうち固視灯光学系は、固視灯３２、コールドミラー３３、リレーレンズ３４、ハーフミラー３５、前記コールドミラー２８、前記ホットミラー２２、前記対物レンズ２３などから構成されている。これにて、固視灯３２から出力された光（例えば緑色の光）は、コールドミラー３３、リレーレンズ３４、ハーフミラー３５、コールドミラー２８、ホットミラー２２、レンズ２３を順に介して、検査窓から被検眼Ｅに向けて出力されるようになっている。
【００４３】
前記ＸＹ方向位置検出系は、ＸＹ位置検出光源３６、前記コールドミラー３３、前記リレーレンズ３４、前記ハーフミラー３５、前記コールドミラー２８、前記ホットミラー２２、前記対物レンズ２３、結像レンズ３７、位置センサ３８などを備えて構成されている。前記ＸＹ位置検出光源３６からは、位置検出用のアライメント光が出力され、コールドミラー３３、リレーレンズ３４、ハーフミラー３５、コールドミラー２８、ホットミラー２２、対物レンズ２３を介して、検査窓から被検眼Ｅの前眼部Ｅｃ（角膜）に向けて出射される。
【００４４】
このとき、被検眼Ｅの角膜表面が球面状をなすことにより、アライメント光は、被検眼Ｅの角膜頂点の内側で輝点像を形成するようにして角膜表面で反射され、その反射光が、検査窓から入射されるようになっている。角膜頂点からの反射光（輝点）は、対物レンズ２３、ホットミラー２２、コールドミラー２８、ハーフミラー３５、結像レンズ３７を介して位置センサ３８に入力される。位置センサ３８によってその輝点の位置が検出されることにより、角膜頂点の位置（Ｘ方向及びＹ方向の位置）が検出されるようになっている。尚、前記輝点は、ＣＣＤカメラ３０の撮影画像（モニタ７の表示画像）にも写り込むものとなる。
【００４５】
前記位置センサ３８の検出信号は、前記光学制御部３１ひいては制御装置３に入力される。この場合、位置センサ３８と前記前眼部撮像系６（ＣＣＤカメラ３０やモニタ７）との間でのアライメントが取られていると共に、角膜頂点の所定（正規）の画像取得位置（断層画像取得時に追従させるべき位置）が設定されている。角膜頂点の正規の画像取得位置としては、例えば、ＣＣＤカメラ３０の撮影画像の中心位置（前記モニタ７の画面中心位置）と一致する点とされている。前記制御装置３は、位置センサ３８の検出に基づいて、正規の位置に対する、検出された角膜頂点（輝点）のＸ方向及びＹ方向の位置ずれ量（この場合モニタ７の画面中心からの位置ずれ量）を求めるようになっている。
【００４６】
前記Ｚ方向位置検出系は、Ｚ方向位置検出光源３９、結像レンズ４０、ラインセンサ４１を備えて構成されている。Ｚ方向位置検出光源３９は、被検眼Ｅに対して斜め方向から検出用の光（スリット光又はスポット光）を照射し、角膜からの斜め方向の反射光が、結像レンズ４０を介してラインセンサ４１に入射されるようになっている。このとき、装置本体に対する被検眼Ｅの前後方向（Ｚ方向）の位置によって、ラインセンサ４１に入射される反射光の入射位置が異なるようになるので、被検眼Ｅの装置本体に対するＺ方向の位置（距離）が検出されるのである。
【００４７】
ラインセンサ４１の検出信号は、前記制御装置３に入力されるようになっている。このとき、制御装置３には、被検眼Ｅ（角膜）の装置本体に対する適切なＺ方向位置（距離）が予め設定されており、ラインセンサ４１の検出に基づいて、被検眼Ｅの適切な位置に対するＺ方向のずれ量を求めることができるのである。
【００４８】
そして、制御装置３は、前記ＸＹ方向位置検出系により検出された角膜頂点（輝点）のＸ方向及びＹ方向の位置ずれ量、並びに、前記Ｚ方向位置検出系により検出された被検眼ＥのＺ方向の位置ずれ量に基づいて、それらの位置ずれ量を全て０にするように、本体駆動部２を制御し、装置本体を保持台に対して移動させる。このとき、制御装置３は、断層画像取得を開始するにあたって、角膜頂点の位置を所定の画像取得位置に一致させるように前記装置本体を前記保持台に対して移動させるようになっていると共に、断層画像の取得処理中にも、角膜頂点と装置本体との位置関係を一定に保つように、該装置本体を追従移動させるようになっている。これにより、アライメント手段及びオートアイトラッキング手段が構成されているのである。
【００４９】
次に、上記構成の前眼部光干渉断層撮影装置１の作用について、図３を参照して述べる。図３のフローチャートは、被検眼Ｅの前眼部Ｅｃの断層画像を撮影する際に制御装置３が実行する処理手順を示している。
【００５０】
ここで、被検者が顎受け部に顎を載せると共に額当て部に額を当て、被検眼Ｅを装置本体の検査窓の正面に配置させた状態で、前眼部Ｅｃの断層画像の取得の処理が開始（前眼部断層撮影プログラムが起動）されると、まず、ステップＳ１にて、前眼部撮像系６（ＣＣＤカメラ３０）により撮影された被検眼Ｅの現在の正面画像が、モニタ７に表示されると共に、その画面中心を水平方向に延びる走査線に沿ってスキャンした前眼部Ｅｃの現在の断層画像が併せてモニタ７に表示される（図２参照）。但し、この時点では、それら正面画像及び断層画像のデータがメモリに取込まれることはない。
【００５１】
この後、検者が測定開始スイッチをオン操作すると（ステップＳ２）、ステップＳ３にて、アライメント光学系４等によるＸ，Ｙ，Ｚ方向のアライメントが開始され、角膜頂点認識用の輝点が正規の位置と一致したところで（ステップＳ４にてＹＥＳ）、アライメントが完了する。続いて、ステップＳ５に移行し、ＯＣＴシステム５により、前眼部Ｅｃの断層画像の取得処理が実行される。この断層画像の取得処理中は、オートアイトラッキングが機能し、角膜頂点認識用の輝点が常に正規の位置（ＣＣＤカメラ３０の撮影画像の中心位置）に来るように、アライメント光学系４等により装置本体を追従移動させる。
【００５２】
ステップＳ５における断層画像の取得処理は、本実施例では、図５に示すラジアルスキャンの方式により、前眼部Ｅｃの断層画像が全領域に亘って取得される。つまり、Ｂ−スキャン方向を放射方向とし、Ｃ−スキャン方向を円周方向として断層画像の取込みを行うようになっている。このとき、被検眼Ｅのずれ動きがあっても、オートアイトラッキングにより装置本体と被検眼との位置関係が一定に保たれることによって、走査線が角膜頂点を通る直線上からずれることを未然に防止することができることは勿論である。ステップＳ６では、取得（撮影）された断層画像のデータが、メモリに取込まれる。
【００５３】
次のステップＳ７では、上記各断層画像のデータの屈折補正処理が行われる。この処理は、ほぼ球面状をなす角膜（角膜表面及び前房との境界面）において、測定光が屈折するため、得られたそのままの断層画像には歪みが生じており、その角膜屈折に対する画像データの補正を行うものである。補正処理が行われた画像データは、記憶部１０に記憶される。
【００５４】
ここで、図６は、白内障の手術（眼内レンズの挿入）の術前／術後の前眼部の各部位の状態を説明するための図である。（ａ）及び（ｂ）は術前の、（ｃ）は術後の前眼部の断層像を模式的に示したものである。
【００５５】
図６（ａ）は、隅角（角膜８０の後面と虹彩８２の前面が交わる領域）が正常又は、緑内障であっても開放隅角の場合の術前の前眼部の断層像を示したものである。特許文献１では、前眼部断層画像から角膜の厚みＣＣＴ及び前房深度（角膜８０の後面から水晶体８４の前面までの距離）ＡＣＤ１に水晶体８４の前面からチン小帯と水晶体８４の接点までの距離Ｘを加えて、予測術後前房深度ＥＬＰ１を算出する方法が開示されている。
【００５６】
しかしながら、被検眼の隅角は図６（ａ）のように、正常又は開放隅角とは限るものではなく、図６（ｂ）のように狭隅角の被検眼も存在する。図６（ｂ）のような狭隅角の被検眼では水晶体８４の位置は前方に配置されるため、取得される前房深度ＡＣＤ２は、図６（ａ）の正常隅角眼に比べて小さくなる。従って、算出される予測術後前房深度ＥＬＰ２も小さな値となる。
【００５７】
ところが、図６（ｂ）のような狭隅角の被検眼であっても、白内障の手術（眼内レンズの挿入）の術後は狭隅角の状態は解消されて、図６（ｃ）のように正常状態になることが術後の所見として知られている。
【００５８】
すなわち、特許文献１に従う方法は、正常隅角或いは開放隅角の場合は、取得した予測術後前房深度ＥＬＰ１が図６（ｃ）に示す術後の角膜の前面から眼内レンズ８６の位置までの距離ＥＬＰ３にほぼ等しくなるため有効であるが、図６（ｂ）のような狭隅角の被検眼では、算出された予測術後前房深度ＥＬＰ２は、図６（ｃ）に示すＥＬＰ３に比べ有意的に小さくなることから、算出した予測術後前房深度（ＥＬＰ）に大きな誤差を含む危険がある。
【００５９】
本発明は、以下に説明するように、予測術後前房深度（ＥＬＰ）を算出する際に前房深度ＡＣＤの代わりに、前眼部光干渉断層撮影装置１で取得した前眼部断層画像を解析して得られた被検眼の強膜岬（ＳＳ）の位置を用いて予測術後前房深度（ＥＬＰ）を算出する。被検眼の強膜岬（ＳＳ）の位置は隅角の状態に関わらず一定であるため、本発明に係る方法で算出した予測術後前房深度（ＥＬＰ）は隅角の状態に影響されず、どのような被検眼であっても、精度の高い予測術後前房深度（ＥＬＰ）を算出できるのである。
【００６０】
図７は、本発明に係る予測術後前房深度（ＥＬＰ）の算出方法の一実施例についてその算出手順を示すフローである。
【００６１】
ステップＳ１０では、記憶部１０に記憶された複数のＢスキャン画像（角膜頂点を含む前眼部断層画像）から任意の１つを抽出する。抽出する方法は、例えば被検眼に対して水平方向（０°方向）を選択的に抽出する方法を採用してもよいし、取得した複数のＢスキャン画像の各Ｂスキャン画像を単純な画像処理を実施してコントラスト値を算出し、所定のコントラスト値以上のＢスキャン画像から抽出する方法を採用してもよい。適宜、最適な方法を採用して抽出すればよいのである。
【００６２】
ステップＳ１１では、抽出したＢスキャン画像の左右位置の角膜隅角の領域を解析して左右、両位置の強膜岬（ＳＳ）の位置を検出する。図１０は、正常な被検眼の前眼部の概略的な構成を示した図である。そして、図１１は、図１０の長方形領域Ａに存在する前眼部の隅角領域の構成を示す図であり、角膜８０、強膜８１、虹彩８２、毛様態８３、水晶体８４、強膜岬ＳＳ、線維柱帯ＴＭ、シュワルベ線ＳＬの位置関係を説明する図である。図１１のように強膜岬ＳＳは被検眼の隅角領域の奥にあり隅角が正常な被検眼では、その深さ位置は水晶体８４の前面頂点位置に近いことがわかる。本発明では、通常測定される前房深度ＡＣＤ（角膜後面から水晶体前面頂点までの距離）を算出するが、ＡＣＤの算出は必ずしも必要ではない。そして、強膜岬（ＳＳ）の位置を特定し、特定したＳＳの位置と水晶体前面頂点位置の距離を算出する。尚、前眼部のＢスキャン画像から強膜岬ＳＳの位置を特定する方法は、特開２０１５−６６０８３や特開２０１５−６６０８４等に記載されていることから、ここでは詳述を避ける。
【００６３】
ステップＳ１２では、検出した左右のＳＳを直線（ＳＳ−ライン）で結ぶ。そして、ステップＳ１３ではＳＳ−ラインの中点から視軸と平行に角膜後面に向けて直線を引き、ステップＳ１４で、その直線と角膜後面の交点の位置からＳＳ−ラインから角膜後面までの距離ＳＰＤを算出する。上述のように、ここで前房深度ＡＣＤ（角膜後面から水晶体前面頂点までの距離）も算出してもよい。ステップＳ１４で算出したＳＰＤと共にＡＣＤを算出することにより、ＳＰＤとＡＣＤの値が比較可能になる。例えば、ＳＰＤとＡＣＤの値を比較することにより、被検眼の隅角の状態（正常隅角か狭隅角か）が推定できる。さらに、ＳＰＤの値がＡＣＤの値に比べ、所定の範囲を超えて小さい場合は算出したＳＰＤの値が不正確である可能性があるため、再度ステップＳ１１に戻って強膜岬（ＳＳ）の位置を再検出することも可能である。本発明に係る方法ではＡＣＤの値の算出は必ずしも必要ではないが、上述の理由で、ＡＣＤの値も算出し記憶部１０に記憶する。
【００６４】
ステップＳ１５では、前眼部のＢスキャン画像を解析して、角膜厚みＣＣＴ、水晶体前面曲率Ｒ１、水晶体後面曲率Ｒ２及び水晶体厚みＴを取得する。
【００６５】
ステップＳ１６では、ステップＳ１５で取得したＲ１、Ｒ２及びＴから水晶体８４の赤道位置を推定し、水晶体前面から水晶体赤道位置までの距離ａを算出する。
【００６６】
図９は、水晶体前面曲率Ｒ１、水晶体後面曲率Ｒ２及び水晶体厚みＴから水晶体前面から水晶体赤道位置までの距離ａを算出する方法の一実施例を説明する図である。図９に示すようにＲ１を半径とする円とＲ２を半径とする円が水晶体厚みＴで重なり、２つの円の交点を結ぶ線が水晶体の赤道位置であると仮定することにより、水晶体前面から水晶体赤道位置までの距離ａを算出することができる。
【００６７】
ステップＳ１７では、ステップＳ１４からステップＳ１６で得られたＳＰＤ、ＣＣＴ及びａから術後予測前房深度（ＥＬＰ）を算出する。
【００６８】
周知なＩＯＬ計算式であるＳＲＫ式、ＳＲＫ／Ｔ式に、本発明に係る、ステップＳ１７で算出された術後予測前房深度（ＥＬＰ）を採用することにより、精度の高いＩＯＬ度数の決定をすることができるのである。
【００６９】
図８は、上述した本発明に係る予測術後前房深度（ＥＬＰ）の算出方法の一実施例の具体例を説明した図である。（ａ）及び（ｂ）は術前の、（ｃ）は術後の前眼部の断層像を模式的に示したものである。
【００７０】
図８（ａ）は正常隅角眼の場合を示す。正常隅角眼の場合の予測術後前房深度ＥＬＰ１は、ＥＬＰ１＝ＣＣＴ１＋ＳＰＤ１＋ａ１（＋α）として算出できる。ここで、αは同時に算出した前房深度ＡＣＤ１とＳＰＤ１の差である。αは必ずしも必要ではないが、ＡＣＤ１とＳＰＤ１に大きく隔たりがある場合は適宜加算してもよい。
【００７１】
図８（ｂ）は狭隅角眼の場合を示す。狭隅角眼の場合の予測術後前房深度ＥＬＰ２は、ＥＬＰ２＝ＣＣＴ２＋ＳＰＤ２＋ａ２として算出できる。ここで、ＣＣＴ２、ＳＰＤ２及びａ２は、（ａ）の正常隅角眼の、ＣＣＴ１、ＳＰＤ１及びａ１の値とそれぞれほぼ等しいことから、算出されたＥＬＰ２は（ａ）の正常隅角眼のＥＬＰＰ１とほぼ等しい値になる。つまり、被検眼（患者眼）の隅角の状態から生じる誤差を排除して、予測術後前房深度（ＥＬＰ）が算出できることから、被検眼（患者眼）の隅角の状態に関係なく、精度の高いＩＯＬの度数が決定できるのである。
【００７２】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００７３】
例えば、上記実施例では、ステップ１１で前眼部のＢスキャン画像を解析して強膜岬（ＳＳ）の位置を特定したが、強膜岬（ＳＳ）の位置は前眼部のＢスキャン画像からも視認可能である。そのため、検者がモニタに表示された前眼部の隅角領域の画像に対してタッチパネル９などで強膜岬（ＳＳ）の位置を指定し、指定した位置を記憶部１０に記憶し、その値を採用してもよい。
【００７４】
また、上記実施例では、被検眼（患者眼）の水晶体８４の前面曲率Ｒ１、後面曲率Ｒ２及び水晶体厚みＴから水晶体８４の赤道位置を算出したが、水晶体８４の赤道位置の算出方法はこれに限定するものではない。例えば、取得した前眼部断層像（Ｂスキャン像）において水晶体８４の画像の一部に欠損があったり、形状が不明瞭な場合、前面曲率Ｒ１、後面曲率Ｒ２及び水晶体厚みＴが正確に求めることができない場合がある。このような場合、Ｂスキャン像の水晶体８４の水晶体核を用いて水晶体の赤道位置を推定することも可能である。例えば、取得したＢスキャン画像の水晶体内の水晶体核を自動的又は手動的（タッチペンなど）に（モニタに表示された）トレースし、トレースした水晶体核の形状から水晶体８４の赤道位置を推定してもよい。
【００７５】
また、図６（ｃ）や図８（ｃ）からわかるように、挿入した眼内レンズ（ＩＯＬ）８６は術前（（ａ）や（ｂ））の水晶体８４の赤道位置よりやや下方に安定して設置される。赤道位置からＩＯＬ８６までの距離をβとすると、βは挿入する（施術する）ＩＯＬのメーカーから提供されるレンズ定数から、経験的又は論理的に得ることができる。そして、予測術後前房深度（ＥＬＰ）が算出する際に、ＩＯＬ毎に決定されたβを所定のオフセット値と採用してもよい。このようなオフセット値を採用することにより、さらに精度の高い予測術後前房深度（ＥＬＰ）が算出できるのである。
【００７６】
また、予測術後前房深度（ＥＬＰ）を算出する際に採用される前眼部のＢスキャン像は２つ以上の複数のＢスキャン像からそれぞれ算出し、その平均値を求めて、予測術後前房深度（ＥＬＰ）としてもよい。この場合の複数のＢスキャン像は、１回の測定で取得した走査位置の異なる複数のＢスキャン像でもよいし、複数回測定して、同じ走査位置の複数のＢスキャン像でもよい。複数のＢスキャン像を用いることにより、より精度の高い予測術後前房深度（ＥＬＰ）が算出できる。
【００７７】
また、上記実施例では、図５に示すように（各スキャンが角膜頂点を通る）ラジアルスキャンにより、前眼部の３次元画像を取得している。すなわち、各Ｂスキャン画像に対してＳＳの位置を特定することにより、３次元的にＳＳの位置の分布が計測可能である。そして、計測して得られたＳＳの位置（点）から形成される平面と角膜頂点の距離から、上述の実施例におけるＳＰＤを算出してもよい。このような方法で算出されたＳＰＤを採用することにより、予測術後前房深度（ＥＬＰ）の精度を上げることが可能である。
【符号の説明】
【００７８】
１・・前眼部光干渉断層撮影装置２・・波長走査光源３・・制御装置（走査線設定手段）４・・アライメント光学系（角膜頂点位置検出手段，アライメント手段，オートアイトラッキング手段）５・・ＯＣＴシステム（断層画像取得手段）６・・前眼部撮像系（撮像手段）７・・モニタ（表示装置）９・・タッチパネル（指定手段）Ｅ・・被検眼Ｅｃ・・前眼部
【図１】
0006436888.tif 000002
【図２】
0006436888.tif 000003
【図３】
0006436888.tif 000004
【図４】
0006436888.tif 000005
【図５】
0006436888.tif 000006
【図６】
0006436888.tif 000007
【図７】
0006436888.tif 000008
【図８】
0006436888.tif 000009
【図９】
0006436888.tif 000010
【図１０】
0006436888.tif 000011
【図１１】
0006436888.tif 000012